(57)【特許請求の範囲】
【請求項１】
蓋の内側に検体棒を有する便検体容器を縦置きの状態にセットする多数の各便検体容器セット穴が縦・横に整列して設けられた検体ラックと、
所定量の希釈液が入る光透過性の便試験体容器を縦置きの状態にセットする多数の便試験体容器セット穴がリング状に設けられ、該便試験体容器セット穴にセットされた各便試験体容器が駆動手段によりそれぞれ希釈位置で一時停止する回転可能な便試験体容器保持部と、
前記便検体容器の蓋を保持して便検体容器全体を支持する蓋保持状態と支持を解除する蓋保持解除状態とに切換え可能な蓋保持部材を有する希釈ヘッド部と、
前記希釈ヘッド部の支持フレームに支持され、前記蓋保持部材の真下で、かつ、希釈ヘッド部の下降時に便検体容器の容器胴部を保持する前進位置と、その前進位置から後退した後退位置とにそれぞれ独立して動く進退可能な容器胴部保持部材と、
前記希釈ヘッド部を前記検体ラックの各容器セット穴上方と前記便試験体容器保持部の希釈位置上方との間の横方向移動を制御する第1の移動制御手段、及び前記検体ラックを前記横方向移動とは交叉する方向である前後方向に移動制御する第２の移動制御手段から成る移動制御手段と、
前記便試験体容器保持部に保持された前記便試験体容器内の便試験体の混濁度を光照射によって測定する混濁度測定部と、
各便試験体容器毎に、前記混濁度測定部によって測定された混濁度が許容範囲か否かを判断する判断・制御手段と、
を備え、
前記希釈ヘッド部は、前記便検体容器の蓋と容器胴部とがそれぞれ保持された時に、容器胴部と検体棒を有する蓋とを上下に分離するよう前記希釈ヘッド部を上昇させる上昇制御と、分離完了後の容器胴部が前進位置から後退した後退位置の時に、検体棒と一緒に前記希釈ヘッド部を前記便試験体容器保持部の希釈位置へ向けて下降させる下降制御と、が可能なヘッド昇降手段を有していることを特徴とする便試験体サンプル製造装置。
【請求項２】
前記混濁度測定部は、前記便試験体容器内の便試験体に向けて発光する発光部と、前記便試験体容器を透過した光量を計測する受光部とを有し、
前記判断・制御手段は、前記発光部の発光量および前記受光部の受光量から算出した便試験体の光吸収率に基づいて前記混濁度が許容範囲か否かを判断することを特徴とする請求項１に記載の便試験体サンプル製造装置。
【請求項３】
前記判断・制御手段は、前記混濁度が許容範囲よりも低いと判断した前記便試験体容器に対し、該混濁度に応じて、対応する前記便検体容器の検体棒を前記便試験体容器に更に浸すように制御することを特徴とする請求項１または２に記載の便試験体サンプル製造装置。
【請求項４】
前記便試験体容器保持部は、別の便試験体容器保持部と交換できるように着脱自在に支持されていることを特徴とする請求項１〜３のいずれかに記載の便試験体サンプル製造装置。
【発明の詳細な説明】
【技術分野】
【０００１】
本発明は、便検体容器に収容された便検体を希釈して便試験体サンプルを製造する便試験体サンプル製造装置に関する。
【背景技術】
【０００２】
患者から採取した便検体からノロウィルス等の細菌を見つける検査が広く行われている（例えば、特許文献１参照）。
【０００３】
この検査では、便試験体サンプルを予め製造していることが多い。この便試験体サンプルの製造では、検査室に持ち込まれた便検体容器から蓋を取外し、蓋の内側に設けられた検体棒の先端に付着している便検体を、予め希釈液が入れられた便試験体容器に浸す。この結果、便検体を希釈した便試験体が便試験体容器に収容されてなる便試験体サンプルが製造される。
【０００４】
その後、この便試験体サンプルを用い、ノロウィルス等の細菌に感染しているか否かを検査する。
【先行技術文献】
【特許文献】
【０００５】
【特許文献１】特開２０１０−２０７１８０
【発明の概要】
【発明が解決しようとする課題】
【０００６】
ところで、この便試験体サンプルの製造では、便検体を一つ一つ作業員がマニュアルで希釈し、更に、製造した便試験体サンプルの便濃度が許容範囲か否かを作業員が目視により行っている。このため、便濃度が許容範囲か否かを判断するのに時間がかかり、また、客観的な判断を担保できないという問題があった。
【０００７】
そこで、本発明は、便検体の希釈作業、および、希釈して得られた便試験体の便濃度が許容範囲内か否かを短時間で客観的に判定することができる便試験体サンプル製造装置を提供することを目的とする。
【課題を解決するための手段】
【０００８】
上記目的を達成するために、本発明に係る便試験体サンプル製造装置は、蓋の内側に検体棒を有する便検体容器を縦置きの状態にセットする多数の各便検体容器セット穴が縦・横に整列して設けられた検体ラックと、所定量の希釈液が入る光透過性の便試験体容器を縦置きの状態にセットする多数の便試験体容器セット穴がリング状に設けられ、該便試験体容器セット穴にセットされた各便試験体容器が駆動手段によりそれぞれ希釈位置で一時停止する回転可能な便試験体容器保持部と、前記便検体容器の蓋を保持して便検体容器全体を支持する蓋保持状態と支持を解除する蓋保持解除状態とに切換え可能な蓋保持部材を有する希釈ヘッド部と、前記希釈ヘッド部の支持フレームに支持され、前記蓋保持部材の真下で、かつ、希釈ヘッド部の下降時に便検体容器の容器胴部を保持する前進位置と、その前進位置から後退した後退位置とにそれぞれ独立して動く進退可能な容器胴部保持部材と、前記希釈ヘッド部を前記検体ラックの各容器セット穴上方と前記便試験体容器保持部の希釈位置上方とにそれぞれ移動させる前後及び左右方向へ制御可能な移動制御手段と、前記便試験体容器保持部に保持された前記便試験体容器内の便試験体の混濁度を光照射によって測定する混濁度測定部と、各便試験体容器毎に、前記混濁度測定部によって測定された混濁度が許容範囲か否かを判断する判断・制御手段と、を備え、前記希釈ヘッド部は、前記便検体容器の蓋と容器胴部とがそれぞれ保持された時に、容器胴部と検体棒を有する蓋とを上下に分離するよう前記希釈ヘッド部を上昇させる上昇制御と、分離完了後の容器胴部が前進位置から後退した後退位置の時に、検体棒と一緒に前記希釈ヘッド部を前記便試験体容器保持部の希釈位置へ向けて下降させる下降制御と、が可能なヘッド昇降手段を有していることを特徴とする。
【発明の効果】
【０００９】
本発明によれば、便試験体の便濃度が許容範囲内か否かを短時間で客観的に判定することができる便試験体サンプル製造装置とすることができる。
【図面の簡単な説明】
【００１０】
【図１】本発明の一実施形態に係る便試験体サンプル製造装置を示す斜視図である。
【図２】本発明の一実施形態に係る便試験体サンプル製造装置で、カバーを取り外した状態を示す斜視図である。
【図３】本発明の一実施形態に係る便試験体サンプル製造装置で、希釈ヘッド部の構成を示す正面部分断面図である。
【図４】本発明の一実施形態に係る便試験体サンプル製造装置で、希釈ヘッド部を上下方向に移動させる構成を説明する側面図である。
【図５】図５（ａ）〜（ｃ）は、それぞれ、本発明の一実施形態に係る便試験体サンプル製造装置を構成する容器胴部保持部材の移動機構で、保持位置（便検体容器の挟持解除状態）、保持位置（便検体容器の挟持状態）、および、待機位置を説明する平面図である。
【図６】本発明の一実施形態に係る便試験体サンプル製造装置の便試験体容器保持部を示す斜視図である。
【図７】本発明の一実施形態に用いる便試験体容器を示す側面断面図である。
【発明を実施するための形態】
【００１１】
以下、添付図面を参照して、本発明の実施の形態について説明する。以下に示す実施の形態は、この発明の技術的思想を具体化するための例示であって、この発明の実施の形態は、構成部品の材質、形状、構造、配置等を下記のものに特定するものではない。この発明の実施の形態は、要旨を逸脱しない範囲内で種々変更して実施できる。
【００１２】
（全体構成）
図１〜図７に示すように、本発明の一実施形態（以下、本実施形態という）の便試験体サンプル製造装置１０は、縦長に形成された便検体容器１２の蓋１２ｃが上となるよう縦置きの状態でセットされる多数の容器セット穴１３ｈを備えた検体ラック１３と、検体ラック１３と並んで配置され、ベルト駆動力による駆動手段により回転移動するリング状の便試験体容器保持部１４（図２、図６参照）と、下降時に検体ラック１３にセットされた便検体容器１２の蓋１２ｃを保持する蓋保持部材１８を備えた上下動可能な希釈ヘッド部２０と、を備えている。便試験体容器保持部１４の上面側には、後述の便試験体容器本体３２ｂが挿通されて配置される便試験体容器セット穴１４ｈ（図６参照）がリング状に配設されている。
【００１３】
また、便試験体サンプル製造装置１０は、希釈ヘッド部２０と一緒に移動自在に支持されている容器胴部保持部材２４を備えている。容器胴部保持部材２４は、蓋保持部材１８の真下に臨み便検体容器１２の容器胴部１２ｂを保持する保持位置（前進位置）と、真下から後退した待機位置（後退位置）とに動くことが可能なように、希釈ヘッド部２０とは独立して進退可能とされている。
【００１４】
更に、便試験体サンプル製造装置１０は、装置正面側から見て左右方向であるＸ方向へ希釈ヘッド部２０を移動制御する第１の移動制御手段２６と、装置正面側から見て前後方向であるＹ方向へ検体ラック１３を移動制御する第２の移動制御手段２８と、を備えている。この第１の移動制御手段２６および第２の移動制御手段２８によって、希釈ヘッド部２０が検体ラック１３の各容器セット穴１３ｈ上方と便試験体容器保持部１４の希釈位置上方とにそれぞれ移動制御可能になっている。
【００１５】
また、便試験体サンプル製造装置１０は、便試験体容器保持部１４に保持された便試験体容器３２内の便試験体の混濁度を光照射によって測定する混濁度測定部１３０を備えている。便試験体容器３２は、光透過性であり、図７に示すように、便試験体容器本体３２ｂとそれに柔軟性の連続部３２ｊで連続している蓋３２ｃとで構成されている。
【００１６】
そして、便試験体サンプル製造装置１０は、駆動する各構成要素を制御する判断・制御ユニット（図示せず）を備えている。
【００１７】
本実施形態では、便試験体サンプル製造装置１０は、５０本の便検体容器１２を収容可能な検体ラック１３を４つ配置できる構成にされている。そして、便試験体容器保持部１４には５０個の便試験体容器セット穴１４ｈが配置されている。
【００１８】
（希釈ヘッド部）
図３に示すように、希釈ヘッド部２０の蓋保持部材１８は、その下方に位置して上下方向に延びる棒状部材５６（後述）によって便検体容器１２の蓋１２ｃの挟持、挟持解除が切り換えられる構成になっている。
【００１９】
そして、図３、図４に示すように、希釈ヘッド部２０は、便検体容器１２の蓋１２ｃを保持する保持状態（実線）と解除状態（二点鎖線）とに蓋保持部材１８を切り換える切換制御手段４０と、少なくとも便検体容器１２の蓋１２ｃと容器胴部１２ｂとがそれぞれ保持された時、蓋保持部材１８を縦軸中心回りに回転させる保持部材回転手段４２と、を備えている。そして、便試験体サンプル製造装置１０には、少なくとも保持部材回転手段４２による蓋保持部材１８の回転時および容器胴部保持部材２４が後退した待機位置の時、それぞれに対応して希釈ヘッド部２０を独立して上昇または下降制御するヘッド昇降手段４４が設けられている。
【００２０】
希釈ヘッド部２０の切換制御手段４０は、水平方向に平行な回動軸を有する回動支点４６によってシーソのように動く棒状の駆動力伝達部材４８と、駆動力伝達部材４８の一方の基端側にクランク運動の伝達力を与えるクランク運動用モータ５０と、を備えており、クランクピン５０ａは駆動力伝達部材４８の長孔４８ａと係合している。これにより、クランク運動用モータ５０の回転によって駆動力伝達部材４８の他方となる先端部が略上下方向に往復動（二点鎖線と実線）する構成になっている。更に、切換制御手段４０は、駆動力伝達部材４８の先端部から上下方向の移動力を受けるように取り付けられた移動力伝達部材５２と、移動力伝達部材５２の下端部に取り付けられ、移動力伝達部材５２から受ける移動力によりガイドレール５３に沿って上下方向に往復動可能な中間部材５４と、上下方向に沿った軸回りに回動可能なように中間部材５４などに取り付けられて下方に延びる棒状部材５６と、棒状部材５６の下端部に取り付けられ、蓋保持部材１８に開閉力を与える開閉力付与部材５８と、を備えている。
【００２１】
開閉力付与部材５８は、前記棒状部材５６を取囲む回転可能な回転軸筒体５７にピンＰ１、Ｐ２によって支持され、移動力伝達部材５２の下降時に、中間部材５４を介して棒状部材５６が、下降することで矢印の如く下向きに押圧される。この結果、蓋保持部材１８はピンＰ１、Ｐ２を支点として実線から鎖線へ回動し保持解除状態となる。
【００２２】
また、棒状部材５６が上昇することで、上向きの引き上げ力が働らく。この結果、蓋保持部材１８はピンＰ１、Ｐ２を支点として鎖線から実線へ回動し、保持状態が確保されるようになっている。
【００２３】
蓋保持部材１８を回転させる前記保持部材回転手段４２は、ベアリング等の軸受によって回転自在に支持された前記回転軸筒体５７のプーリー６４と、低速回転用の駆動モータ６８のモータプーリー６５とに掛け回された伝導ベルト６６によって構成され、縦軸中心として前記回転軸筒体５７に回転力が与えられることで、蓋保持部材１８の回転が可能となっている。
【００２４】
なお、希釈ヘッド部２０の上下動は、検体ラック１３から便検体容器１２を取り出す時と、便検体容器１２からの蓋１２ｃの取り外し及び装着時と、便試験体容器保持部１４に保持された便試験体容器本体３２ｂ内へ、蓋１２ｃに設けられた検体棒１２ｋの先端を出し入れして便検体を希釈する希釈時の各条件に対応してそれぞれ作動制御される。
【００２５】
また、ヘッド昇降手段４４による上下動と組合せて使用される前記保持部材回転手段４２による回転は、便検体容器１２を検体ラック１３から取り出した時にバーコード情報を読み込む時と、後述する容器胴部保持部材２４によって容器胴部が保持された便検体容器１２からの蓋１２ｃの取り外し及び装着時の各条件に対応してそれぞれ作動制御されるようになっている。
【００２６】
これにより、蓋の嵌合挿入タイプ又はねじ式タイプのいずれの場合でも対応が可能になると共に、特に、嵌合挿入タイプの場合には、回転させることで円滑に取り外せるようになる。
【００２７】
（容器胴部保持部材）
図４、図５に示すように、希釈ヘッド部２０の下部には、便検体容器１２の容器胴部１２ｂを保持する容器胴部保持部材２４と、容器胴部保持部材２４を保持位置（図５（ａ）および（ｂ）、図４の二点鎖線）と待機位置（図５（ｃ）、図４の実線）とに水平方向に進退動可能に保持する保持機構７８と、が設けられている。保持機構７８は、容器胴部保持部材２４を案内する案内棒８０と、モータによって回転されるクランクアーム８２と、を有する。
【００２８】
容器胴部保持部材２４は、容器胴部保持部材本体２４ｍとの間で便検体容器１２を挟持する挟持部材２４ｔを有する。
【００２９】
容器胴部保持部材２４には平面視で略中央に空洞部８４が形成されており、挟持部材２４ｔには、容器胴部保持部材２４の先端部を貫通して空洞部８４に延び出している延出し棒８６と、延出し棒８６の後端側（クランクアーム側）に固定されている支持部材８８と、延出し棒８６に挿通されている圧縮コイルバネ９０と、を備えている。圧縮コイルバネ９０は、支持部材８８および容器胴部保持部材本体２４ｍによってそれぞれ端部が支えられている。
【００３０】
そしてクランクアーム８２は、先端部に、空洞部８４内で上方に延び出す伝達部８９を有しており、伝達部８９が支持部材８８の押圧または後退により、容器胴部保持部材２４の進退動、更には便検体容器１２の挟持、挟持解除の切り換えが行われる構成になっている。
【００３１】
具体的には、クランクアーム８２が水平の時（図５（ａ））、最大の押し出しストロークとなり、容器胴部保持部材２４は保持位置（図４の二点鎖線、図５（ａ））に押し出される。この時、挟持部材２４ｔと部材本体２４ｍと（詳細に説明すると、挟持部材２４ｔの半円弧状の挟持面２４ｔ−１と対向し合う部材本体２４ｍの半円弧状の挟持面２４ｍ−１と）は開いた保持待機状態が確保される。
【００３２】
また、クランクアーム８２が水平位置から若干回動した時（図５（ｂ））、最大の押し出しストロークから若干小さくなると共に圧縮コイルばね９０のばね圧の働きによって挟持部材２４ｔと部材本体２４ｍとによる挟持状態が確保される。
【００３３】
さらに、クランクアーム８２が図５（ｂ）よりさらに回動した時（図５（ｃ））、クランクアーム８２により支持部材８８の押圧が解除され、挟持状態のまま待機位置（図４の実線、図５（ｃ））に移動制御されるようになっている。
【００３４】
（希釈液注入部）
便試験体サンプル製造装置１０は、図１、図２に示すが如く、便試験体容器本体３２ｂ内へ所定量の希釈液を注入するために先端部に希釈液の注入ノズルを有する希釈液注入部１２０を回動自在に備えている。カバー１１２には、希釈液注入部１２０の注入ノズルが挿入される希釈液用開口１２２が、便試験体容器保持部１４に対応して形成されている。また、希釈液注入部１２０には、希釈液供給ライン１２４が接続されており、希釈液供給ライン１２４には希釈液を収容した取替可能なボトル１２６が接続されている。
【００３５】
更に、カバー１１２には、蓋１２ｃから下方に延びている検体棒１２ｋを挿通させる検体棒用開口１１６が形成されている。
【００３６】
（混濁度測定部）
図１、図２に示すように、本実施形態では、混濁度測定部１３０は、便試験体容器３２内の便試験体に向けて発光する発光部１３２と、便試験体容器３２を透過（正確には便試験体容器本体３２ｂを透過）した光量を計測する受光部１３４とを有し、濁度センサーとしての機能を有する。
【００３７】
判断・制御ユニットは、発光部１３２の発光量および受光部１３４の受光量から算出した便試験体の光吸収率に基づいて混濁度が許容範囲か否かを判断するようになっている。なお、本明細書で許容範囲とは、閾値以下の範囲（下限値が０）という場合も含む概念である。
【００３８】
（判断・制御ユニット）
上述したように、判断・制御ユニット（図示せず）は、駆動する各構成要素を制御するようになっている。更に、判断・制御ユニットは、各便試験体容器３２毎に、混濁度測定部１３０によって測定された混濁度が許容範囲か否かを判断するようになっている。判断結果については、例えば、許容範囲外となった便試験体容器３２の番号を表示パネル（図示せず）で表示する。
【００３９】
（作用、効果）
以下、本実施形態の作用、効果について説明する。まず、オペレータなどにより、検体ラック１３の各容器セット穴１３ｈに、検査対象の便検体容器１２を、蓋が上となるように入れて配置する。また、便試験体容器保持部１４をターンテーブル上にセットしたものを便試験体サンプル製造装置１０にセットする。更に、検体ラック１３を便試験体サンプル製造装置１０の所定位置に配置する。次に、便試験体容器保持部１４の回転、停止を繰り返しながらカバー１１２の各開口１２２を介して各便試験体容器本体３２ｂに、希釈液注入部１２０から所定量の希釈液を分注する。
【００４０】
次に、第１の移動制御手段２６、第２の移動制御手段２８により希釈ヘッド部２０および検体ラック１３をそれぞれ移動させ、ヘッド昇降手段４４で希釈ヘッド部２０を下降させ、蓋保持部材１８で便検体容器１２の蓋を保持し検体ラック１３から持ち上げる。そして、便検体容器１２の蓋１２ｃを保持したまま便検体容器１２の容器胴部１２ｂを回転させ、容器胴部１２ｂに貼付してあるバーコードを読み取る。
【００４１】
更に、容器胴部保持部材２４を前進させて、挟持部材２４ｔと容器胴部保持部材本体２４ｍとによって容器胴部１２ｂを保持する位置を、保持用位置（蓋保持部材１８によって蓋１２ｃが保持された便検体容器１２の真下位置）に移動させる（図５（ａ）参照）。
【００４２】
そして、希釈ヘッド部２０を下降させることで便検体容器１２を下降させ、容器胴部保持部材２４で容器胴部１２ｂを挟持する（図４、図５（ｂ）参照）。その挟持した状態において、蓋保持部材１８を回転させながら上昇させることで、容器胴部１２ｂから蓋１２ｃを分離させる。その際、移動時に液ダレが起きても支障のないように完全に分離ではなくいわゆる半分離状態にする。
【００４３】
次に、第１の移動制御手段２６により希釈ヘッド部２０を便試験体容器保持部１４上の所定位置に移動させる。移動をさせた後、希釈ヘッド部２０を上昇させることで、容器胴部１２ｂから蓋１２ｃを完全に分離させる。そして、保持機構７８により容器胴部保持部材２４を後退させることにより容器胴部１２ｂを移動させ、蓋１２ｃを下降させることで、便検体が付着した検体棒１２ｋを、対応する便試験体容器３２の希釈液に浸す。そして、検体棒１２ｋを２〜３回上下動させた後、上昇させる。この結果、便試験体容器本体３２ｂには、便検体容器１２内の検体を希釈してなる便試験体（希釈完了液）が収容されていることになる。なお、便検体容器１２内で検体棒１２ｋ先端に付着している便検体量が多すぎる場合には、蓋１２ｃを引き上げて容器胴部１２ｂから蓋１２ｃを完全に分離させる際に、容器胴部保持部材２４を前後方向にずらすことで、検体棒１２ｋの先端に付着している便検体を便試験体容器本体３２ｂの内壁に当接させながら引き上げてもよく、これにより、余分な便検体を検体棒１２ｋの先端から取り除きつつ引き上げることができる。
【００４４】
更に、保持機構７８により容器胴部保持部材２４を前進させて蓋１２ｃの真下位置に到達させ、蓋１２ｃを回転させながら下降させることで、容器胴部１２ｂに蓋１２ｃを取り付けて蓋をした状態にする。
【００４５】
その後、挟持部材２４ｔを前進させることで容器胴部１２ｂの挟持を解除し、希釈ヘッド部２０により検体ラック１３に戻す。
【００４６】
以上の各工程を、各便検体容器１２に対し、対応する各便試験体容器３２に行う。本実施形態では、合計５０本の便検体容器１２について、対応する５０本の各便試験体容器３２に対してこれを行う。
【００４７】
また、混濁度測定部１３０は、便試験体容器３２に収容された便試験体に向けて発光部１３２から光を発し、便試験体を透過した透過光を受光部１３４で受ける。そして、判断・制御ユニットは、発光部１３２の発光量および受光部１３４の受光量から算出した便試験体の光吸収率（光吸収比）に基づいて、混濁度が許容範囲か否かを判断する。その際、判断・制御ユニットは、各便試験体容器３２毎に、光吸収率に基づいて判断する。
【００４８】
混濁度が許容範囲であると判断された便試験体に関しては、便試験体容器３２の蓋３２ｃを作業員が人手で閉めることで便試験体サンプルが完成する。この便試験体サンプルは次の試験を行う装置で使用される。
【００４９】
以上説明したように、本実施形態の便試験体サンプル製造装置１０は、混濁度測定部１３０および判断・制御ユニットにより、便試験体容器保持部１４に保持されている各便試験体容器３２毎に混濁度を測定し、各便試験体容器３２毎に混濁度が許容範囲か否かを判断する。従って、簡易な構成で、便試験体の便濃度が許容範囲内か否かを極めて短時間で客観的に判定することができる。
【００５０】
また、混濁度測定部１３０は、便試験体容器３２内の便試験体に向けて発光する発光部１３２と、便試験体容器３２を透過した光量を計測する受光部１３４とを有し、判断・制御ユニットは、発光部１３２の発光量および受光部１３４の受光量から算出した便試験体の光吸収率に基づいて混濁度が許容範囲か否かを判断する。従って、混濁度測定部１３０の構成を、小型で簡素にすることができる。
【００５１】
また、便試験体容器保持部１４は、別の便試験体容器保持部と交換できるように着脱自在に支持されている。従って、便試験体容器保持部１４を新たに交換することにより、次の検査に迅速に対応することができる。しかも、例えば検出対象がノロウィルスである場合、エッペンチューブ（容器胴部に蓋が繋がっている便検体容器）に対応させた形状の便試験体容器保持部１４を用いることができる。このように、便試験体容器保持部１４が、便試験体容器セット穴１４ｈの形状が異なる別の便試験体容器保持部と交換できるように着脱自在に支持されていることにより、便試験体サンプル製造装置１０で用いる便試験体容器３２の形状のバリエーションが広がる。
【００５２】
なお、判断・制御ユニットは、混濁度が許容範囲よりも低いと判断した便試験体容器３２に対し、該混濁度に応じて、対応する便検体容器１２の検体棒１２ｋを更に浸すように制御してもよい。これにより、混濁度が低すぎてＮＧとなるケースを発生させなくすることができる。
【符号の説明】
【００５３】
１０  便試験体サンプル製造装置
１２  便検体容器
１２ｃ  蓋
１２ｂ  容器胴部
１３  検体ラック
１３ｈ  容器セット穴
１４  便試験体容器保持部
１４ｈ  便試験体容器セット穴
１８  蓋保持部材
２０  希釈ヘッド部
２４  容器胴部保持部材
２６  第１の移動制御手段（移動制御手段）
２８  第２の移動制御手段（移動制御手段）
３２  便試験体容器
４４  ヘッド昇降手段
１３０  混濁度測定部
１３２  発光部
１３４  受光部
【図１】
0006691375.tif 000002
【図２】
0006691375.tif 000003
【図３】
0006691375.tif 000004
【図４】
0006691375.tif 000005
【図５】
0006691375.tif 000006
【図６】
0006691375.tif 000007
【図７】
0006691375.tif 000008